(57)【要約】【課題】  発泡プラスチック材に対して、手間が掛からず、短時間に所定形状の綺麗なくり抜き孔を形成することができるくり抜き具を提供すること。【解決手段】  略矩形断面の短筒状に形成された発熱部１６と、発熱部１６を加熱するためのヒータ部１７と、把持部１８とを備え、発熱部１６を発泡プラスチック系断熱板１２に押し付けて加熱溶融して、断熱板１２に略矩形のくり抜き孔１３を形成することができるものである。【選択図】      図２
0003122088.tif 000002
【実用新案登録請求の範囲】
【請求項１】
所定形状の略環状に形成された発熱部と、前記発熱部を加熱するためのヒータ部と、把持部とを備え、前記発熱部を発泡プラスチック材に押し付けて加熱溶融して、前記発泡プラスチック材にくり抜き孔を形成することができることを特徴とするくり抜き具。
【請求項２】
前記発熱部の内側に設けられ前記発熱部よりも熱伝導率が小さく、前記発熱部が前記発泡プラスチック材を加熱溶融した状態で、前記発泡プラスチック材に差し込まれる差込部と、前記発熱部に設けられ前記差込部が差し込まれた発泡プラスチック片を前記差込部から取り外すための取外し孔とを備えることを特徴とする請求項１記載のくり抜き具。
【請求項３】
前記発泡プラスチック材は、建物の外壁材の内側に配置される断熱板であり、前記くり抜き孔は、前記外壁材を下地材に取り付けるための取付具を装着する装着孔であることを特徴とする請求項１又は２記載のくり抜き具。
【請求項４】
前記発熱部は、略矩形断面の短筒状体であることを特徴とする請求項１乃至３のいずれかに記載のくり抜き具。
【考案の詳細な説明】
【技術分野】
【０００１】
本考案は、例えば建物の外壁材の内側に配置される発泡プラスチック系断熱材に対して、その外壁材を下地材に取り付けるための取付具を装着する装着孔を形成することができるくり抜き具に関する。
【背景技術】
【０００２】
従来より、例えば建物の外壁材の内側に配置される発泡プラスチック系断熱板に対して、予め定められた略矩形のくり抜き孔を設けて、このくり抜き孔を、外壁材を下地材に取り付けるための取付具を装着する装着孔として使用している。この装着孔は、例えばカッターナイフを使用して形成することができる。
【０００３】
また、発泡プラスチック材を溶断するための熱溶断装置も提供されている（例えば、特許文献１参照。）。この熱溶断装置１は、図７に示すように、上部側から順に把持部２、ヒータ部３、位置規制部４、及び発熱部５を備えている。この熱溶断装置１を使用して、発泡プラスチック材６を所望の大きさに溶断するときは、同図に示すように、まず、ガイド板７を、発泡プラスチック材６の溶断しようとする部分にあてがって、そのガイド板７に形成されているガイド孔７ａにこの熱溶断装置１の発熱部５を差し込む。そして、この発熱部５をガイド孔７ａに沿って直線方向に移動させることによって、発泡プラスチック材６の所望の部分を略真っ直ぐに溶断することができ、これによって、発泡プラスチック材６を所望の大きさに溶断することができる。
【特許文献１】特開平６−１９０７９９号公報
【考案の開示】
【考案が解決しようとする課題】
【０００４】
しかし、カッターナイフを使用して、発泡プラスチック系断熱板に対して、予め定められた略矩形のくり抜き孔（例えば取付具の装着孔）を形成する場合は、くり抜き作業に手間が掛かるし、切断面の外観を奇麗にするには熟練を必要とする。
【０００５】
そして、図７に示す熱溶断装置１を使用して、略矩形のくり抜き孔（取付具の装着孔）を形成する場合は、ガイド板７のガイド孔７ａを、形成しようとする矩形のくり抜き孔のいずれかの辺と対応する位置にあてがい、そのガイド孔７ａに沿って熱溶断装置１を移動させて発泡プラスチック材６を溶融させればよいが、この作業を矩形の４つのそれぞれの辺に対して行う必要があり、手間が掛かる。
【０００６】
本考案は、上記のような課題を解決するためになされたものであり、発泡プラスチック材に対して、手間が掛からず、短時間に所定形状の綺麗なくり抜き孔を形成することができるくり抜き具を提供することを目的としている。
【課題を解決するための手段】
【０００７】
本考案に係るくり抜き具は、所定形状の略環状に形成された発熱部と、前記発熱部を加熱するためのヒータ部と、把持部とを備え、前記発熱部を発泡プラスチック材に押し付けて加熱溶融して、前記発泡プラスチック材にくり抜き孔を形成することができることを特徴とするものである。
【０００８】
この考案に係るくり抜き具を使用して発泡プラスチック材にくり抜き孔を形成するときは、まず、作業者が把持部を手で持って、ヒータ部によって加熱された発熱部を、発泡プラスチック材に押し付ける。これによって、発泡プラスチック材に対して、発熱部と対応する形状の略環状部分を加熱溶融することができる。そして、発熱部を発泡プラスチック材から引き離して、この加熱溶融された環状部分の内側にある発泡プラスチック片を取り除くことによって、所定の形状のくり抜き孔を形成することができる。
【０００９】
そして、この考案に係るくり抜き具において、前記発熱部の内側に設けられ前記発熱部よりも熱伝導率が小さく、前記発熱部が前記発泡プラスチック材を加熱溶融した状態で、前記発泡プラスチック材に差し込まれる差込部と、前記発熱部に設けられ前記差込部が差し込まれた発泡プラスチック片を前記差込部から取り外すための取外し孔とを備える構成とするとよい。このようにすると、発熱部を発泡プラスチック材に対して押し付けて加熱溶融したときに、くり抜かれて取り除かれる発泡プラスチック片に差込部を差し込むことができる。従って、この状態で、発熱部を発泡プラスチック材から引き離すと、その発泡プラスチック片が差込部と結合しているので、発泡プラスチック片をくり抜き孔から自動的に取り除くことができる。そして、この発泡プラスチック片は、発熱部の取出し孔から例えば棒状体を挿入することによって、発熱部から取り外すことができる。なお、差込部を発泡プラスチック片に差し込むことによって、両者が互いに結合するのは、差込部は、発熱部よりも熱伝導率が小さく温度が発熱部よりも低いので、差込部が発泡プラスチック片に押し込まれて密着した状態になるからである。
【００１０】
また、この考案に係るくり抜き具において、前記発泡プラスチック材は、建物の外壁材の内側に配置される断熱板であり、前記くり抜き孔は、前記外壁材を下地材に取り付けるための取付具を装着する装着孔とするとよい。このくり抜き具を使用すると、極めて簡単に予め定めた形状及び大きさのくり抜き孔（装着孔）を、取付具が取り付けられる所望の箇所に形成することができるので、この装着孔に取付具を確実に装着でき、これによって、この発泡プラスチック材が取り付けられている外壁材を下地材に強固に取り付けることができる。
【００１１】
更に、この考案に係るくり抜き具において、前記発熱部を、略矩形断面の短筒状体とするとよい。このように、発熱部を、略矩形断面の短筒状体とすることによって、略矩形のくり抜き孔を簡単で綺麗に形成することができる。
【考案の効果】
【００１２】
この考案に係るくり抜き具によると、発熱部を、発泡プラスチック材の所望の箇所に押し付けることによって、発熱部と対応する形状の略環状部分を加熱溶融することができる。従って、発泡プラスチック材に対して、熟練を必要とせずに、手間が掛からず、短時間に所定形状の綺麗なくり抜き孔を形成することができる。
【考案を実施するための最良の形態】
【００１３】
以下、本考案に係るくり抜き具の第１実施形態を図１〜図４を参照して説明する。このくり抜き具９は、図３（ａ）、（ｂ）、（ｃ）に示すように、例えば建物１０（図４参照）の外壁パネル（外壁材）１１の内側に配置される発泡プラスチック系断熱板（以下、単に「断熱板」と言うこともある。）１２に対して、くり抜き孔１３を形成することができるものである。このくり抜き孔１３は、図４に示すように、その外壁パネル１１を下地材１４に取り付けるための外壁パネル取付具１５を装着する装着孔として使用するものである。このくり抜き具９は、図１に示すように、下端側から順に発熱部１６、ヒータ部１７、及び把持部１８が設けられている。
【００１４】
発熱部１６は、図１に示すように、略矩形断面の短筒状に形成されている。この発熱部１６は、２つのＬ字状部材１６ａ、１６ａを組み合わせて形成されたものであり、十字状の熱伝導部１９を介してヒータ部１７と結合している。この熱伝導部１９の４つの各端部は、発熱部１６の内面と結合している。また、熱伝導部１９とヒータ部１７とは、図２（ａ）、（ｂ）、（ｃ）に示すように、雄ねじ部２０とナット２１によって締結されている。更に、図２（ａ）に示すように、十字状の熱伝導部１９は、発熱部１６の内側上部に配置されており、雄ねじ部２０及びナット２１よりも下側の発熱部分の長さが断熱板１２の厚みよりも少し大きくしてある。これによって、発熱部１６によって断熱板１２を加熱溶融したときに、雄ねじ部２０とナット２１が断熱板１２に接触しないようにしてある。この発熱部１６の内側に配置されているものは、発熱部１６によって加熱溶融されて取り除かれる発泡プラスチック片１２ａである。
【００１５】
図１に示すヒータ部１７は、電気ヒータであり、発熱部１６を例えば約７００℃に加熱することができるものである。このヒータ部１７には、リード線（図示せず）及び電気コード２２が電気的に接続されており、この電気コード２２は、把持部１８の後端部から引き出されている。この電気コード２２は、外部電源から電気を通してヒータ部１７に供給することができる。
【００１６】
把持部１８は、図１に示すように、略短円柱形に形成されており、ヒータ部１７と結合して設けられている。
【００１７】
次に、図１等に示すように構成されたくり抜き具９を使用して、発泡プラスチック系断熱板１２に対して、くり抜き孔（装着孔）１３を形成する手順を説明する。この発泡プラスチック系断熱板１２は、図３（ａ）に示すように、所定の厚みで形成された矩形の板状体であり、建物１０（図４参照）に使用される外壁パネル１１の裏面に貼着されている。この外壁パネル１１は、例えば中空の押出成形セメント板である。
【００１８】
まず、作業者が把持部１８を手で持って、図３（ｂ）に示すように、ヒータ部１７によって加熱された発熱部１６を、断熱板１２に押し付ける。これによって、断熱板１２に対して、発熱部１６と対応する矩形の環状部分を加熱溶融することができる。このときの状態では、図２（ａ）に示すように、発熱部１６の先端部が外壁パネル１１に当接しており、雄ねじ部２０及びナット２１は、断熱板１２には接触していない。そして、発熱部１６の内側には溶断して形成された発泡プラスチック片１２ａが収容されている。
【００１９】
そして、発熱部１６を断熱板１２から引き離して、この加熱溶融された矩形の環状部分の内側にある発泡プラスチック片１２ａを取り除く。これによって、図３（ｃ）に示すように、断熱板１２の所望の箇所に略矩形のくり抜き孔１３を形成することができる。
【００２０】
このように、このくり抜き具９によると、発泡プラスチック系断熱板１２に対して、熟練を必要とせずに、手間が掛からず短時間に、所定形状の例えば略矩形の綺麗なくり抜き孔１３を形成することができる。なお、発泡プラスチック片１２ａは、断熱板１２側に残されていることがあるし、発熱部１６の内側に付着していることもある。発熱部１６の内側に付着しているときは、発熱部１６の内側に十字状の熱伝導部１９によって形成されている４つの空間（取外し孔）２３、・・・のうちのいずれかに棒状体を差し込むことによって、発泡プラスチック片１２ａを発熱部１６から取り出すことができる。
【００２１】
また、図３（ｂ）に示す断熱板付き外壁パネル１１は、図４に示すように、複数の外壁パネル取付具１５によって下地材１４に取り付けて使用されるものである。この下地材１４は、水平に配置されて、ブラケット２４、・・・を介して床材２５に設けられている。この床材２５は、梁２６で支持されている。
【００２２】
そして、図４に示すように、この取付具１５の一端部は、断熱板１２に形成された各くり抜き孔（取付具１５の装着孔）１３に装着されていて、外壁パネル１１の壁面に当接した状態でボルト２７とナット（図示せず）によってこの外壁パネル１１に固定されている。このナットは、外壁パネル１１の中空部１１ａに配置されている。また、取付具１５の他端部は、この他端部と断熱板１２との間に下地材１４を挟み込んでいる。このようにして、取付具１５は、外壁パネル１１を下地材１４に係合させて取り付けることができる。
【００２３】
つまり、このくり抜き具９を使用すると、極めて簡単に予め定めた略矩形の形状、及び大きさのくり抜き孔（装着孔）１３を、取付具１５が取り付けられる所望の箇所に形成することができるので、この装着孔１３に取付具１５を確実に装着でき、これによって、この断熱板１２が取り付けられている外壁パネル１１を下地材１４に強固に取り付けることができる。
【００２４】
次に、本考案に係るくり抜き具の第２実施形態を図５及び図６を参照して説明する。この図５（ａ）、（ｂ）、（ｃ）に示す第２実施形態のくり抜き具２９は、図２（ａ）、（ｂ）、（ｃ）に示す第１実施形態のくり抜き具９に対して、差込部３０を設けたものである。これ以外は、第１実施形態と同等であり、同等部分を同一の図面符号で示し、それらの説明を省略する。
【００２５】
差込部３０は、図５（ａ）、（ｂ）、（ｃ）に示すように、底部３０ａが円形のカップ状に形成されており、底部３０ａを熱伝導部１９の下面に当接する状態で、雄ねじ部２０及びナット２１で熱伝導部１９の下面に固定して設けられている。この差込部３０は、発熱部１６よりも熱伝導率が小さい材質であり、例えばセラミックスや金属で形成されている。発熱部１６は、差込部３０よりも熱伝導率が大きい材質であり、例えば鉄、銅等の金属で形成されている。
【００２６】
また、図５（ａ）に示すように、発熱部１６の先端が外壁パネル１１の表面に当接するまで押し込まれて、発熱部１６が断熱板１２を加熱溶融した状態で、差込部３０の周壁３０ｂの先端部が断熱板１２に所定の深さに差し込まれるように、差込部３０が形成されている。
【００２７】
上記のように構成されたこの実施形態のくり抜き具２９によると、図５（ａ）に示すように、発熱部１６を断熱板１２に対して押し付けて加熱溶融したときに、くり抜かれて取り除かれる発泡プラスチック片１２ａに差込部３０を差し込むことができる。従って、この状態で発熱部１６を断熱板１２から引き離すと、図６に示すように、その発泡プラスチック片１２ａが差込部３０と結合しているので、発泡プラスチック片１２ａをくり抜き孔１３から自動的に取り除くことができる。そして、この発泡プラスチック片１２ａは、発熱部１６の取外し孔２３から例えば棒状体を挿入することによって、発熱部１６から取り外すことができる。このように、発熱部１６を断熱板１２から引き離すと、発泡プラスチック片１２ａをくり抜き孔１３から自動的に取り除くことができるので、くり抜き孔１３を極めて短時間で形成することができ、作業性の向上を図ることができる。
【００２８】
また、断熱板１２は、建物１０に多数使用されるものであり、形成する必要のあるくり抜き孔１３の数も極めて多数あるので、このくり抜き具２９を使用することによって、作業者の労力を十分に軽減することができる。
【００２９】
なお、差込部３０を発泡プラスチック片１２ａに差し込むことによって、両者が互いに結合するのは、差込部３０は、発熱部１６よりも熱伝導率が小さく温度が発熱部１６よりも低いので、差込部３０が発泡プラスチック片１２ａに押し込まれて、この発泡プラスチック片１２ａと密着した状態になるからである。
【００３０】
ただし、上記実施形態の発熱部１６は、図１に示すように、略矩形断面の短筒状体としたが、これ以外の形状としてもよい。つまり、形成しようとするくり抜き孔の形状に応じた形状とすればよい。そして、発熱部１６は、完全な環状体としてしなくてもよく、例えば周壁に切り離された部分があってもよい。つまり、このような発熱部を使用しても、断熱板１２の縁部に切欠きとしてのくり抜き孔を形成することができる。
【００３１】
そして、上記実施形態の差込部３０は、図５（ａ）、（ｂ）、（ｃ）に示すように、底部３０ａが円形のカップ状としたが、これ以外の形状としてもよい。例えば底部３０ａが四角形のカップ状としてもよいし、周壁３０ｂを平板状や棒状に形成してもよい。
【００３２】
また、上記実施形態では、建物１０の外壁パネル１１の内側に配置される発泡プラスチック系断熱板１２に対してくり抜き孔１３を形成するのに使用したが、これ以外の発泡プラスチック材に対してくり抜き孔を形成するのに使用することができる。
【産業上の利用可能性】
【００３３】
以上のように、本考案に係るくり抜き具は、発泡プラスチック材に対して、手間が掛からず、短時間に所定形状の綺麗なくり抜き孔を形成することができる優れた効果を有し、このようなくり抜き具等に適用するのに適している。
【図面の簡単な説明】
【００３４】
【図１】この考案の第１実施形態に係るくり抜き具を示す斜視図である。
【図２】同第１実施形態に係るくり抜き具を示す図であり、（ａ）は部分断面正面図、（ｂ）は側面図、（ｃ）は底面図である。
【図３】同第１実施形態に係るくり抜き具を使用してくり抜き孔を形成する手順を示す図であり、（ａ）はくり抜き孔を形成しようとする断熱板が貼着された外壁パネルを示す斜視図、（ｂ）はくり抜き具の発熱部を断熱板に押し込んだ状態を示す斜視図、（ｃ）はくり抜き孔が形成された断熱板付き外壁パネルを示す斜視図である。
【図４】同第１実施形態に係るくり抜き具を使用してくり抜き孔が形成された断熱板付き外壁パネルの取付け構造を示す斜視図である。
【図５】同発明の第２実施形態に係るくり抜き具を示す図であり、（ａ）は拡大部分断面正面図、（ｂ）は部分拡大側面図、（ｃ）は拡大底面図である。
【図６】同第２実施形態に係るくり抜き具によってくり抜き孔を形成する状態を示す拡大部分断面正面図である。
【図７】従来の熱溶断装置を示す斜視図である。
【符号の説明】
【００３５】
９、２９  くり抜き具
１０  建物
１１  外壁パネル
１１ａ  中空部
１２  発泡プラスチック系断熱板
１２ａ  発泡プラスチック片
１３  くり抜き孔
１４  下地材
１５  外壁パネル取付具
１６  発熱部
１６ａ  Ｌ字状部材
１７  ヒータ部
１８  把持部
１９  熱伝導部
２０  雄ねじ部
２１  ナット
２２  電気コード
２３  取外し孔
２４  ブラケット
２５  床材
２６  梁
２７  ボルト
３０  差込部
３０ａ  底部
３０ｂ  周壁
【図１】
0003122088.tif 000003
【図２】
0003122088.tif 000004
【図３】
0003122088.tif 000005
【図４】
0003122088.tif 000006
【図５】
0003122088.tif 000007
【図６】
0003122088.tif 000008
【図７】
0003122088.tif 000009